(57)【要約】【課題】照射方向の変更を手動式から電動式に容易に変更できる照明灯を提供する。【解決手段】ハウジング２と、ハウジング２に第１回転支持軸部１０によって回転自在に支持された支持リング３０と、支持リング３０に、第１回転支持軸部１０に直交する第２回転支持軸部２０によって回転自在に支持され、ＬＥＤ素子５１が固定されたベゼル４０とを備え、第１回転支持軸部１０は、ハウジング２に設けられた円孔１３と、支持リング３０に設けられた円柱突部１４と、円柱突部１４のギアピン挿入孔１５に圧入されたギアピン１６とを備え、ギアピン１６の圧入によって円柱突部１４を拡径させ、円柱突部１４の外周面を円孔１３の内周面に圧接された。【選択図】図６
2013023139.tif 000002
【特許請求の範囲】
【請求項１】
固定側部材と、
前記固定側部材に回転支持軸部によって回転自在に支持され、光源が固定された回転側部材とを備え、
前記回転支持軸部は、前記固定側部材と前記回転側部材のいずれか一方に設けられた円孔と、他方に設けられ、前記円孔に挿入された円柱突部と、前記円柱突部のピン挿入孔に圧入された回転力伝達ピンとを備え、前記回転力伝達ピンの圧入によって前記円柱突部を拡径させ、前記円柱突部の外周面を前記円孔の内周面に圧接されたことを特徴とする照明灯。
【請求項２】
請求項１に記載の照明灯であって、
被取付部材に固定されるハウジングと、
前記ハウジングに第１回転支持軸部によって回転自在に支持された支持リングと、
前記支持リングに、前記第１回転支持軸部に直交する第２回転支持軸部によって回転自在に支持され、前記光源が固定されたベゼルとを備え、
前記第１回転支持軸部は、前記第１回転支持軸部による回転では前記固定側部材である前記ハウジングと、前記第１回転支持軸部による回転では前記回転側部材である前記支持リングとのいずれか一方に前記円孔が、他方に前記円孔に挿入された円柱突部が設けられていることを特徴とする照明灯。
【請求項３】
請求項２に記載の照明灯であって、
前記第２回転支持軸部は、前記第２回転支持軸部による回転では前記固定側部材である前記支持リングと、前記第２回転支持軸部による回転では前記回転側部材である前記ベゼルとのいずれか一方に前記円孔が、他方に前記円孔に挿入された円柱突部が設けられていることを特徴とする照明灯。
【請求項４】
請求項１〜請求項３のいずれかに記載の照明灯であって、
前記回転力伝達ピンは、ギア部を有することを特徴とする照明灯。
【請求項５】
請求項１〜請求項４のいずれかに記載の照明灯であって、
前記回転力伝達ピンとピン挿入孔には、一方にキー突起が他方にキー溝がそれぞれ設けられていることを特徴とする照明灯。
【発明の詳細な説明】
【技術分野】
【０００１】
本発明は、照射方向を可変できる照明灯に関する。
【背景技術】
【０００２】
例えば、車両には車室内を照射させる照明灯が設けられる。この種の従来の室内照明灯として、特許文献１に開示されたものがある。この室内照明灯１００は、図１１〜図１３に示すように、車室の天井に固定されるハウジング１０１と、このハウジング１０１に第１回転支持軸部１１０によって回転自在に支持された支持リング１３０と、この支持リング１３０に、第１回転支持軸部１１０に直交する第２回転支持軸部１２０によって回転自在に支持されたベゼル１４０と、このベゼル１４０の中心位置に固定され、光源１５１を有する光照射部１５０と、ベゼル１４０の外周に配置され、ハウジング１０１に回転自在に支持された回転スイッチ部材１６０とを備えている
ハウジング１０１は、枠体状の第１ハウジング部１０１Ａと、この第１ハウジング部１０１Ａに組み付けされた第２ハウジング部１０１Ｂとから構成されている。
【０００３】
第１回転支持軸部１１０は、図１２に詳しく示すように、第２ハウジング部１０１Ｂの一対の支持アーム１０１ａにそれぞれ突設され、第１軸Ｃ１に沿って配置された一対の軸部１１１と、支持リング１３０に設けられ、各軸部１１１が挿入される一対の軸受け孔１１２と、一方の軸部１１１と軸受け孔１１２の間に介在された第１シム１１３とを備えている。
【０００４】
第２回転支持軸部１２０は、図１３に詳しく示すように、支持リング１３０にそれぞれ設けられ、第２軸Ｃ２に沿って配置された一対の軸受け孔１２１と、ベゼル１４０に突設され、各軸受け孔１２１に挿入される一対の軸部１２２と、一方の軸部１２２と軸受け孔１２１の間に介在された第２シム１２３とを備えている。
【０００５】
上記構成において、ユーザがベゼル１４０に対し第１軸Ｃ１回りの回転力を加えると、ベゼル１４０、支持リング１３０及び光照射部１５０が一体となって第１回転支持軸部１１０を中心として回転する。ユーザがベゼル１４０に対し第２軸Ｃ２回りの回転力を加えると、ベゼル１４０及び光照射部１５０が一体となって第２回転支持軸部１２０を中心に回転する。そして、任意の回転停止位置では、第１シム１１３と第２シム１２３の摩擦抵抗によってその位置を保持することができる。
【０００６】
このようにして２軸方向に光源１５１の向きを可変でき、これによって照射方向を自由に可変できる。
【先行技術文献】
【特許文献】
【０００７】
【特許文献１】特開２００９−８３７９４号公報
【発明の概要】
【発明が解決しようとする課題】
【０００８】
しかしながら、前記従来の室内照明灯１００では、照射方向の変更を電動式に変更する配慮が何らなされていない。そのため、電動によって照射方向を変えるように設計変更しようとすると、大幅な構造変更が必要である。
【０００９】
そこで、本発明は、前記した課題を解決すべくなされたものであり、照射方向の変更を手動式から電動式に容易に変更できる照明灯を提供することを目的とする。
【課題を解決するための手段】
【００１０】
本発明は、固定側部材と、前記固定側部材に回転支持軸部によって回転自在に支持され、光源が固定された回転側部材とを備え、前記回転支持軸部は、前記固定側部材と前記回転側部材のいずれか一方に設けられた円孔と、他方に設けられ、前記円孔に挿入された円柱突部と、前記円柱突部のピン挿入孔に圧入された回転力伝達ピンとを備え、前記回転力伝達ピンの圧入によって前記円柱突部を拡径させ、前記円柱突部の外周面を前記円孔の内周面に圧接されたことを特徴とする。
【００１１】
被取付部材に固定されるハウジングと、前記ハウジングに第１回転支持軸部によって回転自在に支持された支持リングと、前記支持リングに、前記第１回転支持軸部に直交する第２回転支持軸部によって回転自在に支持され、前記光源が固定されたベゼルとを備え、前記第１回転支持軸部は、前記第１回転支持軸部による回転では前記固定側部材である前記ハウジングと、前記第１回転支持軸部による回転では前記回転側部材である前記支持リングとのいずれか一方に前記円孔が、他方に前記円孔に挿入された円柱突部が設けられているものを含む。
【００１２】
前記第２回転支持軸部は、前記第２回転支持軸部による回転では前記固定側部材である前記支持リングと、前記第２回転支持軸部による回転では前記回転側部材である前記ベゼルとのいずれか一方に前記円孔が、他方に前記円孔に挿入された円柱突部が設けられているものを含む。
【００１３】
前記回転力伝達ピンは、ギア部を有することが好ましい。
【００１４】
前記回転力伝達ピンとピン挿入孔には、一方にキー突起が他方にキー溝がそれぞれ設けられることが好ましい。
【発明の効果】
【００１５】
本発明によれば、ユーザが回転側部材に対し軸回りの回転力を加えると、回転側部材及び光源が回転支持軸部を中心として回転し、任意の回転停止位置では、円柱突部と円孔間の摩擦抵抗によってその位置を保持する。このように手動で照射方向の向きを変えることができる。また、回転力伝達ピンの回転によっても回転側部材及び光源が回転支持軸部を中心に回転し、任意の回転停止位置では、円柱突部と円孔間の摩擦抵抗によってその位置を保持する。従って、回転力伝達ピンに回転力を作用させるようアクチュエータを付設すれば電動式にすることができる。以上より、照射方向の変更を手動式から電動式に容易に変更できる。
【図面の簡単な説明】
【００１６】
【図１】本発明の一実施形態を示し、（ａ）は表側から見た室内照明灯の斜視図、（ｂ）は（ａ）に対し照明方向の向きを変更した状態を示す要部斜視図である。
【図２】本発明の一実施形態を示し、裏面側から見た室内照明灯の斜視図である。
【図３】本発明の一実施形態を示し、裏面側から見た室内照明灯の分解斜視図である。
【図４】本発明の一実施形態を示し、裏面側から見た室内照明灯の主要部品の分解斜視図である。
【図５】本発明の一実施形態を示し、図２の一部を切り欠いた要部拡大図である。
【図６】本発明の一実施形態を示し、（ａ）は第１軸を切断面とする室内照明灯の断面図、（ｂ）は（ａ）のＡ部拡大図である。
【図７】本発明の一実施形態を示し、第１回転支持軸部の要部分解斜視図である。
【図８】本発明の一実施形態を示し、第２軸を切断面とする室内照明灯の断面図である。
【図９】本発明の一実施形態を示し、第２回転支持軸部の要部分解斜視図である。
【図１０】本発明の一実施形態を示し、アクチュエータの設置を説明する室内照明灯の断面図である。
【図１１】従来例を示し、室内照明灯の分解斜視図である。
【図１２】従来例を示し、第１軸を切断面とする室内照明灯の断面図である。
【図１３】従来例を示し、第２軸を切断面とする室内照明灯の断面図である。
【発明を実施するための形態】
【００１７】
以下、本発明の一実施形態を図面に基づいて説明する。
【００１８】
（実施形態）
図１〜図１０は本発明の一実施形態を示す。図１〜図４に示すように、照明灯である室内照明灯１は、車室内の被取付部材である例えば天井（図示せず）に設置される。室内照明灯１は、ハウジング２と、このハウジング２に第１回転支持軸部１０によって第１軸Ｃ１を中心として回転自在に支持された支持リング３０と、この支持リング３０に第２回転支持軸部２０によって第２軸Ｃ２を中心として回転自在に支持されたベゼル４０と、このベゼル４０の中心に配置された固定ロック部材５０と、この固定ロック部材５０に固定された光源であるＬＥＤ素子５１とを備えている。
【００１９】
第１回転支持軸部１０の第１軸Ｃ１と第２回転支持軸部２０の第２軸Ｃ２は、互いに直交する向きである。そして、第１回転支持軸部１０によって第１軸Ｃ１を中心として回転する場合には、ハウジング２が固定側部材であり、支持リング３０及びベゼル４０が回転側部材である。第２回転支持軸部２０によって第２軸Ｃ２を中心として回転する場合には、ハウジング２と支持リング３０が固定側部材であり、ベゼル４０が回転側部材である。つまり、支持リング３０は、第１軸Ｃ１回りでは回転側部材であり、第２軸Ｃ２回りでは固定側部材である。
【００２０】
ハウジング２は、枠体状の第１ハウジング部２Ａと、この第１ハウジング部２Ａの枠内に組み付けされた第２ハウジング部２Ｂとから構成されている。第１ハウジング部２Ａと第２ハウジング部２Ｂは、互いのロック部３間の係止によって固定されている。第２ハウジング部２Ｂには、複数箇所に係止爪４（図３に示す）が付設される。室内照明灯１は、係止爪４と第１ハウジング部２Ａの周縁部によって被取付部材である天井（図示せず）を挟持することによって固定される。
【００２１】
第２ハウジング部２Ｂには、制御部品用収容部５と、照射用開口部６が設けられている。生業部品用収容部５には、表示発光用ＬＥＤ７ａ、制御基板７ｂ、雄タブ端子７ｃ、２個の押下式のスイッチ８等が収容されている。各スイッチ８は、各操作部９を介して操作される。各操作部９は、光透過性部材であり、操作用収容部５の表面側を被うようにして第２ハウジング部２Ｂに装着されている。照射用開口部６の周縁の１８０度対向位置には、内部に向かって一対の支持アーム２ａが突設されている。
【００２２】
支持リング３０は、一定幅のフラットな帯状体より形成されている。ベゼル４０は、半球面状の外枠４１と、この外枠４１の内周側より折り返された円錐形状の内枠４２とを有する。支持リング３０は、ベゼル４０の外枠４１と内枠４２の間に配置されている。固定ロック部材５０は、ベゼル４０の内枠４２内に嵌り込むことによってベゼル４０に固定されている。固定ロック部材５０には、一対の係止アーム５０ａを有する。この一対の係止アーム５０ａは、ベゼル４０の内枠４２より内部に突出されている。ＬＥＤ素子５１は、ベゼル４０の内枠４２の内部位置で一対の係止アーム５０ａに係止されている。つまり、ＬＥＤ素子５１は、固定ロック部材５０を介してベゼル４０に固定されている。
【００２３】
第１回転支持軸部１０は、図５〜図７に詳しく示すように、第１軸Ｃ１上に設けられた２箇所の支持軸部１０Ａ，１０Ｂから構成されている。一方の支持軸部１０Ａは、第２ハウジング部２Ｂの一方の支持アーム２ａに設けられた円柱突部１１と、支持リング３０に設けられ、円柱突部１１が挿入された円孔１２とから構成されている。円柱突部１１と円孔１２の寸法は、ガタ付きがなく、スムーズな回転を確保できる寸法に設定されている。
【００２４】
他方の支持軸部１０Ｂは、第２ハウジング部２Ｂに設けられた円孔１３と、支持リング３０に設けられ、円孔１３に挿入された円柱突部１４と、この円柱突部１４のピン挿入孔であるギアピン挿入孔１５に圧入された回転力伝達ピンであるギアピン１６とを備えている。ギアピン挿入孔１５は、円柱突部１４の軸中心に形成されている。ギアピン１６は、ギアピン挿入孔１５に圧入されることによって円柱突部１４を拡径し、これにより円柱突部１４の外周面が円孔１３の内周面に圧接させている。円柱突部１４が円孔１３内を回転する際には、所定の摩擦力（摺動抵抗）が作用する。
【００２５】
ギアピン挿入孔１５には、キー溝１５ａが設けられている。ギアピン１６は、圧入ロッド部１７とギア部１８を有する。圧入ロッド部１７には、キー突起１７ａが設けられている。
【００２６】
第２回転支持軸部２０は、図５，図８及び図９に詳しく示すように、第２軸Ｃ２上に設けられた２箇所の支持軸部２０Ａ，２０Ｂから構成されている。一方の支持軸部２０Ａは、支持リング３０に設けられた円柱突部２１と、ベゼル４０に設けられ、円柱突部２１が挿入された円孔２２とから構成されている。円柱突部２１と円孔２２の寸法は、ガタ付きがなく、スムーズな回転を確保できる寸法に設定されている。
【００２７】
他方の支持軸部２０Ｂは、支持リング３０に設けられた円孔２３と、ベゼル４０に設けられ、円孔２３に挿入された円柱突部２４と、この円柱突部２４のピン挿入孔であるギアピン挿入孔２５に圧入された回転力伝達ピンであるギアピン２６とを備えている。外ピン挿入孔２５は、円柱突部２４の軸中心に形成されている。ギアピン２６は、ギアピン挿入孔２５に圧入されることによって円柱突部２４を拡径し、これにより円柱突部２４の外周面が円孔２３の内周面に圧接させている。円柱突部２４が円孔２３内を回転する際には、所定の摩擦力（摺動抵抗）が作用する。
【００２８】
ギアピン挿入孔２５には、キー溝２５ａが設けられている。ギアピン２６は、圧入ロッド部２７とギア部２８を有する。圧入ロッド部２７には、キー突起２７ａが設けられている。
【００２９】
上記構成において、ユーザがベゼル４０に対し、第２ハウジング部２Ｂの円孔１３と支持リング３０の円柱突部１４間の摩擦抵抗に抗して第１軸Ｃ１回りの回転力を加えると、ベゼル４０、支持リング３０及びＬＥＤ素子５１が一体となって第１回転支持軸部１０を中心として回転する。そして、任意の回転停止位置では、第２ハウジング部２Ｂの円孔１３と支持リング３０の円柱突部１４間の摩擦抵抗によってその位置を保持する。
【００３０】
また、ユーザがベゼル４０に対し、支持リング３０の円孔２３とベゼル４０の円柱突部２４間の摩擦抵抗に抗して第２軸Ｃ２回りの回転力を加えると、ベゼル４０及びＬＥＤ素子５１が一体となって第２回転支持軸部２０を中心に回転する。そして、任意の回転停止位置では、支持リング３０の円孔２３とベゼル４０の円柱突部２４間の摩擦抵抗によってその位置を保持する。
【００３１】
このようにしてＣＩ，Ｃ２の２軸方向に光源であるＬＥＤ素子５１の向きをベゼル４０と共に自由に可変できる。例えば、図１（ａ）の向きから図１（ｂ）の向きに可変できる。
【００３２】
以上説明したように、第１及び第２回転支持軸部１０，２０は、固定側部材である第２ハウジング部２Ｂや支持ベゼル３０に設けられた円孔１３，２３と、回転側部材である支持リング３０やベゼル４０に設けられ、円孔１３，２３に挿入された円柱突部１４，２４と、この円柱突部１４，２４のギアピン挿入孔１５，２５に圧入されて円柱突部１４，２４を拡径させ、円柱突部１４，２４の外周面を円孔１３，２３の内周面に圧接させるギアピン１６，２６とを備えている。従って、上記したように、ユーザが回転側部材（支持リング３０やベゼル４０）に対し軸回りの回転力を加えると、回転側部材（支持リング３０やベゼル４０）及びＬＥＤ素子５１が第１又は第２回転支持軸部１０，２０を中心として回転し、任意の回転停止位置では、円柱突部１４，２４と円孔１３，２３間の摩擦抵抗によってその位置を保持する。このように手動で照射方向の向きを変えることができる。また、ギアピン１６，２６自体の回転によっても回転側部材（支持リング３０やベゼル４０）及びＬＥＤ素子５１が第１及び第２回転支持軸部１０，２０を中心に回転し、任意の回転停止位置では、円柱突部１４，２４と円孔１３，２３間の摩擦抵抗によってその位置を保持する。従って、第１回転支持軸部１０に対しては、図１０にて仮想線で示すように、回転出力をギアピン１６に作用させるようにアクチュエータ６０をハウジング２に設置すれば、電動式にすることができる。アクチュエータ６０は、例えばモータ６１と減速ギア６２から成る。又、第２回転支持軸部２０に対しても、回転出力をギアピン２６に作用させるようにアクチュエータ（図示せず）を支持リング３０に設置すれば、電動式にすることができる。以上より、照射方向の向き変更を手動式から電動式に容易に変更できる。
【００３３】
各回転力伝達ピンは、ギア部１８，２８を有するギアピン１６，２６にて構成されている。従って、ギア同士の噛み合いによって確実にアクチュエータ６０，（図示せず）からの回転力をギアピン１６，２６に伝達できる。回転力伝達ピンとしては、摩擦車やプーリ等を有するピンにて構成しても良い。
【００３４】
ギアピン１６，２６にはキー突起１７ａ，２７ａが、ギアピン挿入孔１５，２４にはキー溝１５ａ，２５ａがそれぞれ設けられている。従って、空回りを確実に防止できる。ギアピン１６，２６にキー溝を、ギアピン挿入孔１５，２５にキー突起をそれぞれ設けても良い。
【００３５】
（変形例）
前記実施形態では、第１回転支持軸部１０の他方の支持軸部１０Ｂには、第２ハウジング部２Ｂに円孔１３を、支持リング３０に円柱突部１４を設けたが、第２ハウジング部２Ｂに円柱突部１４を、支持リング３０に円孔１３を設けても良い。
【００３６】
前記実施形態では、第２回転支持軸部２０の他方の支持軸部２０Ｂには、支持リング３０に円孔２３を、ベゼル４０に円柱突部２４を設けたが、支持リング３０に円柱突部２４を、ベゼル４０に円孔２３を設けても良い。
【００３７】
前記実施形態では、ＬＥＤ素子５１は、第１回転支持軸部１０と第２回転支持軸部２０の２軸回りに回転できるが、１軸方向にのみ回転できるものにあっても良い。
【符号の説明】
【００３８】
１  室内照明灯（照明灯）
２  ハウジング（固定側部材）
１０  第１回転支持軸部
１１，１４，２１，２４  円柱突部
１２，１３，２２，２３  円孔
１５，２５  ギアピン挿入孔（ピン挿入孔）
１５ａ，２５ａ  キー溝
１６，２６  ギアピン（回転力伝達ピン）
１７ａ，２７ａ  キー突起
１８，２８  ギア部
２０  第２回転支持軸部
３０  支持リング（回転側部材，固定側部材）
４０  ベゼル（回転側部材）
５１  ＬＥＤ素子（光源）
【図１】
2013023139.tif 000003
【図２】
2013023139.tif 000004
【図３】
2013023139.tif 000005
【図４】
2013023139.tif 000006
【図５】
2013023139.tif 000007
【図６】
2013023139.tif 000008
【図７】
2013023139.tif 000009
【図８】
2013023139.tif 000010
【図９】
2013023139.tif 000011
【図１０】
2013023139.tif 000012
【図１１】
2013023139.tif 000013
【図１２】
2013023139.tif 000014
【図１３】
2013023139.tif 000015